(57)【要約】【課題】少なくとも１つの交換局と無線ネットワーク制御装置、及び複数の無線基地局を含むネットワークと、これら無線基地局の少なくとも１つと同時に通信する無線端末とから成り、無線ネットワーク制御装置と無線基地局との間の伝送遅延が変動する無線通信システムにおいて、サービス種別に応じて適切な伝送遅延、伝送品質で通信を行う。【解決手段】サービス種別すなわち通信の連続要否に応じて異なる伝送遅延、伝送品質で通信を行うことを可能とするため、サービス種別の要求する品質に基づいて次ノードへの転送タイミングを設定する上り転送制御部５０２を、無線ネットワーク制御装置に設けた。即時転送制御においては、全ての上りフレームを受信した時点、信頼に足る上りフレームを受信したと判断した時点、予め設定された予測遅延時間により求められる時点、のいずれかの時点で上りフレームを次ノードに転送する。【選択図】      図３
2005072656.tif 000002
【特許請求の範囲】
【請求項１】
無線移動端末から少なくとも１つの無線基地局を介してそれぞれ送られてくる上りフレームを次ノードに転送する転送タイミングを設定するフレーム転送装置であって、前記上りフレームについての通信の連続要否に応じて、受信した上りフレームを即時に次ノードに転送する即時転送制御と受信した上りフレームを所定時間バッファリングした後に次ノードに転送するバッファリング制御とのいずれか一方の制御を行う転送制御手段を含むことを特徴とするフレーム転送装置。
【請求項２】
前記転送制御手段が行う前記即時転送制御においては、
全ての上りフレームを受信した時点、
信頼に足る上りフレームを受信したと判断した時点、
予め設定された予測遅延時間により求められる時点、
のいずれかの時点において、該上りフレームを次ノードに転送することを特徴とする請求項１記載のフレーム転送装置。
【請求項３】
前記転送制御手段が行う前記即時転送制御においては、前記上りフレームに含まれている信頼度情報に基づいて、該フレームが信頼に足るかどうか判断することを特徴とする請求項２記載のフレーム転送装置。
【請求項４】
前記信頼度情報は、前記上りフレームに含まれている、無線区間の品質を示す情報であることを特徴とする請求項３記載のフレーム転送装置。
【請求項５】
前記信頼度情報は、前記上りフレームに含まれている、データブロックについての巡回冗長検査の結果を示す情報であることを特徴とする請求項３記載のフレーム転送装置。
【請求項６】
無線移動端末から少なくとも１つの無線基地局を介してそれぞれ送られてくる上りフレームを次ノードに転送する転送タイミングを設定するフレーム転送方法であって、呼を受付ける呼受付ステップと、前記呼受付ステップにおいて通知されるサービス種別に応じて、受信した上りフレームを即時に次ノードに転送する即時転送制御と受信した上りフレームを所定時間バッファリングした後に次ノードに転送するバッファリング制御とのいずれか一方を設定する設定ステップと、前記設定ステップにより設定された制御内容に従ってフレームを転送する転送ステップとを含むことを特徴とするフレーム転送方法。
【請求項７】
前記即時転送制御は、
全ての上りフレームを受信した時点、
信頼に足る上りフレームを受信したと判断した時点、
予め設定された予測遅延時間により求められる時点、
のいずれかの時点において、該上りフレームを次ノードに転送する制御であることを特徴とする請求項６記載のフレーム転送方法。
【発明の詳細な説明】
【０００１】
【発明の属する技術分野】
本発明はフレーム転送装置、フレーム転送方法に関し、特に無線移動端末から少なくとも１つの無線基地局を経由してそれぞれ送られてくる上りフレームを次ノードに転送する転送タイミングを設定するフレーム転送装置、フレーム転送方法に関する。
【０００２】
【従来の技術】
少なくとも１つ以上の交換局と無線ネットワーク制御装置、及び複数の無線基地局を含むネットワークと、これらの複数の無線基地局と同時に通信する無線端末とからなる無線通信システムにおいて、通信中に無線基地局と無線ネットワーク制御装置との間の伝送遅延量の変化や、各無線基地局から無線ネットワーク制御装置までの伝送遅延に差が存在する場合にも通信の連続性を保つため、遅延量の変化や伝送遅延差を吸収するためのバッファを持つ。このバッファは一般的に通常の通信において移動機が移動する範囲を基準に予測遅延量として設定される。このような無線通信システムは、例えば、特許文献１や特許文献２に記載されている。
【０００３】
【特許文献１】
特開２００２−２５２５８６（図３０、図３１、図３６、図３８）
【特許文献２】
特開２００３−１０２０４７（図３０、図３１、図３６、図３８）
【０００４】
【発明が解決しようとする課題】
上述した従来技術においては、トラヒック量の変動による伝送遅延量の変化や、無線端末と通信する無線基地局の追加や削除による各無線基地局と無線ネットワーク制御装置までの伝送遅延の異なる場合においても、バッファリングによる固定遅延により通信の連続性が保たれる。しかしながら、パケット通信のような通信の連続性が要求されないような場合には、バッファリングを行うと、無駄な遅延が生じるという欠点がある。
このような欠点は、上記の特許文献１や特許文献２の記載内容によっては解決することができない。
本発明は上述した従来技術の欠点を解決するためになされたものであり、その目的はサービス種別に応じて異なる伝送遅延伝送品質で通信を行うことができるフレーム転送装置、フレーム転送方法を提供することである。
【０００５】
【課題を解決するための手段】
本発明の請求項１によるフレーム転送装置は、無線移動端末から少なくとも１つの無線基地局を介してそれぞれ送られてくる上りフレームを次ノードに転送する転送タイミングを設定するフレーム転送装置であって、前記上りフレームについての通信の連続要否に応じて、受信した上りフレームを即時に次ノードに転送する即時転送制御と受信した上りフレームを所定時間バッファリングした後に次ノードに転送するバッファリング制御とのいずれか一方の制御を行う転送制御手段を含むことを特徴とする。こうすることにより、通信の連続要否、すなわちサービス種別に応じて適切にフレーム転送を行うことができる。ここで、「上り」とは無線端末から無線基地局を経由し、無線ネットワーク制御装置、交換局へ向けてのデータの流れの向きを指す。
【０００６】
本発明の請求項２によるフレーム転送装置は、請求項１において、前記転送制御手段が行う前記即時転送制御においては、
全ての上りフレームを受信した時点、
信頼に足る上りフレームを受信したと判断した時点、
予め設定された予測遅延時間により求められる時点、
のいずれかの時点において、該上りフレームを次ノードに転送することを特徴とする。これらの時点において転送を行うことにより、上りフレームを適切なタイミングで転送できる。
【０００７】
本発明の請求項３によるフレーム転送装置は、請求項２において、前記転送制御手段が行う前記即時転送制御においては、前記上りフレームに含まれている信頼度情報に基づいて、該フレームが信頼に足るかどうか判断することを特徴とする。こうすることにより、フレーム毎に信頼度を判断することができる。
本発明の請求項４によるフレーム転送装置は、請求項３において、前記信頼度情報は、前記上りフレームに含まれている、無線区間の品質を示す情報であることを特徴とする。これにより、無線区間の品質に基づいて、フレームの信頼度を判断することができる。
【０００８】
本発明の請求項５によるフレーム転送装置は、請求項３において、前記信頼度情報は、前記上りフレームに含まれている、データブロックについての巡回冗長検査の結果を示す情報であることを特徴とする。これにより、フレームのデータ誤り状態に応じて、フレームの信頼度を判断することができる。
【０００９】
本発明の請求項６によるフレーム転送方法は、無線移動端末から少なくとも１つの無線基地局を介してそれぞれ送られてくる上りフレームを次ノードに転送する転送タイミングを設定するフレーム転送方法であって、呼を受付ける呼受付ステップ（後述する図５中のステップＳ４００に対応）と、前記呼受付ステップにおいて通知されるサービス種別に応じて、受信した上りフレームを即時に次ノードに転送する即時転送制御と受信した上りフレームを所定時間バッファリングした後に次ノードに転送するバッファリング制御とのいずれか一方を設定する設定ステップ（後述する図５中のステップＳ４０１に対応）と、前記設定ステップにより設定された制御内容に従ってフレームを転送する転送ステップ（後述する図５中のステップＳ４０２以下のステップに対応）とを含むことを特徴とする。こうすることにより、通信の連続要否、すなわちサービス種別に応じて適切にフレーム転送を行うことができる。
【００１０】
本発明の請求項７によるフレーム転送方法は、請求項６において、前記即時転送制御は、
全ての上りフレームを受信した時点、
信頼に足る上りフレームを受信したと判断した時点、
予め設定された予測遅延時間により求められる時点、
のいずれかの時点において、該上りフレームを次ノードに転送する制御であることを特徴とする。これらの時点において転送を行うことにより、上りフレームを適切なタイミングで転送できる。
【００１１】
送信されるフレームによっては、通信の連続性が要求されるものと、通信の連続性が要求されないものとがある。通信の連続性が要求される場合は、例えば、音声データや動画データを複数のフレームによって送信する場合である。このようなデータについては、通信の連続性を保証しないと音声や動画が途切れてしまうので、バッファリング後に転送処理すべきである。
【００１２】
一方、通信の連続性が要求されない場合は、例えば、パケットデータを送信する場合、無線端末と交換局との間でやりとりされる制御データを送信する場合、無線端末と無線ネットワーク制御装置との間でやりとりされる制御データを送信する場合、である。このようなデータについては、一般に通信の連続性が要求されないので、バッファリングを行わずに即時転送処理されるべきである。
このように、本発明では、通信の連続性が要求されるかどうか、すなわちサービス種別に応じて、バッファリング後の転送処理と即時転送処理とのいずれか一方の処理を行う。なお、以上の処理は、無線基地局と無線ネットワーク制御装置との間、無線ネットワーク制御装置と交換局と間において適用可能である。
【００１３】
【発明の実施の形態】
以下、図面を参照して本発明の実施の一形態について説明する。なお、以下の説明において参照する各図においては、他の図と同等部分に同一符号が付されている。
（無線ネットワークシステムの構成）
図１は本発明によるフレーム転送装置を無線ネットワーク制御装置に採用した無線ネットワークシステムの構成例を示すブロック図である。同図において、本例の無線ネットワークシステムは、移動局１と、無線基地局２−１〜２−４と、無線ネットワーク制御装置５−１〜５−３と、交換局６−１、６−２と、中継局７とを含んで構成されている。これらは、無線通信システム内におけるノードや中継網として機能している。
【００１４】
移動局１が移動すると、移動先の無線基地局との通信が可能になる。ここでは、移動局１と無線基地局２−２〜２−４とが通信可能な状態における、無線ネットワーク制御装置５−２の動作について説明する。
移動局１と無線基地局２−２〜２−４とが通信可能な状態においては、移動局１からの上りフレームには、無線基地局２−２、２−３をそれぞれ経由して無線ネットワーク制御装置５−２に入力されるものと、無線基地局２−４、無線ネットワーク制御装置５−３、交換局６−２、中継網７、交換局６−１を順に経由して無線ネットワーク制御装置５−２に入力されるものと、がある。後者の場合、図２に示されているように、交換局６−２では上りフレームについて何ら処理が行われないので、無線ネットワーク制御装置５−３をそのまま通過して無線ネットワーク制御装置５−２に入力されることになる。このため、本例では、移動局１からは、無線ネットワーク制御装置５−２に、３つの上りフレームが入力されることになる。
【００１５】
図２に示されているように、無線ネットワーク制御装置５−２の内部には、ダイバーシチハンドオーバトランク（以下、ＤＨＴと略称する）５０が設けられている。ただし、ＤＨＴ５０は交換局６−１に設けることも可能である。このＤＨＴ５０は、複数の無線基地局にまたがったハンドオーバ制御を行うとともに、後述する即時転送機能Ａ、Ｂ及びＣ、並びにバッファリング制御機能を有している。
【００１６】
（無線ネットワーク制御装置の構成例）
図３は、図１中の無線ネットワーク制御装置５−２の内部構成例を示すブロック図である。同図において、無線ネットワーク制御装置５−２は、ダイバーシチハンドオーバトランク５０と、通信制御部５１と、クロック（ＣＬＫ）供給部５２とを含んで構成されている。
ＤＨＴ５０は、無線基地局からの上りフレームを受信する上りフレーム受信部５０１と、上りフレーム受信部５０１により受信した上りフレームを転送するタイミングを設定するための上り転送制御部５０２と、上りフレームを合成する上りフレーム合成部５０３と、上りフレーム合成部５０３により合成された上りフレームを送出する上りフレーム送出部５０４と、ＤＨＴ制御部５００とを含んで構成されている。
【００１７】
通信制御部５１は、ＤＨＴ５０内のＤＨＴ制御部５００に対して動作設定を行う部分である。クロック供給部５２は上り転送制御部５０２に対し、処理タイミングのクロックを供給する部分である。
ＤＨＴ制御部５００は、上りフレーム受信部５０１、上り転送制御部５０２、上りフレーム合成部５０３、上りフレーム送出部５０４に対し、動作設定及び動作制御を行う。
【００１８】
（上り転送制御部の構成例）
上り転送制御部５０２は、図４に示されているように、受信した上りフレームを即時に次ノードに転送する即時転送機能５０２ａと、受信した上りフレームを所定時間バッファリングした後に次ノードに転送するバッファリング制御機能５０２ｂとを有している。即時転送機能５０２ａには、即時転送機能Ａ、即時転送機能Ｂ、即時転送機能Ｃ、がある。
ここで、即時転送機能Ａは、上りフレーム受信時に、移動局と通信中の全ての無線基地局からの上りフレームを受信した時点、もしくは予め設定された予測遅延時間により求められるタイミング、のどちらか先に到達した時点で次ノードへ向けて転送する機能である。
【００１９】
即時転送機能Ｂは、上りフレーム中の信頼度情報を参照し、信頼に足る上りフレームを受信したと判断した時点、もしくは予め設定された予測遅延時間により求められるタイミング、のどちらか先に到達した時点で次ノードへ向けて転送する機能である。
即時転送機能Ｃは、上りフレーム中の信頼度情報を参照し、信頼に足る上りフレームを受信したと判断した時点、もしくは移動局と通信中の全ての無線基地局からの上りフレームを受信した時点、もしくは予め設定された予測遅延時間により求められるタイミング、のいずれか先に到達した時点で次ノードへ向けて転送する機能である。
【００２０】
バッファリング制御機能５０２ｂは、予め設定された予測遅延時間により求められるタイミングまでバッファリングした後に次ノードへ向けて転送する機能である。
要するに、上りフレームについての通信の連続要否に応じて、受信した上りフレームを即時に次ノードに転送する即時転送制御と受信した上りフレームを所定時間バッファリングした後に次ノードに転送するバッファリング制御とのいずれか一方の制御を行っている。即時転送制御においては、全ての上りフレームを受信した時点、信頼に足る上りフレームを受信したと判断した時点、予め設定された予測遅延時間により求められる時点、のいずれかの時点において、その上りフレームを次ノードに転送する。
【００２１】
（上り転送制御部の処理）
図５は、図３中の上り転送制御部５０２における処理手順を説明するためのフローチャートである。以下、図３及び図５を用いて上り転送制御部５０２における処理について説明する。
呼受付時に、通信制御部５１からＤＨＴ制御部５００に、ＤＨＴが動作するための設定情報を通知する（ステップＳ４００）。この通知される設定情報には、サービス種別、転送設定、予測遅延時間が含まれる。
【００２２】
ＤＨＴ制御部５００は、通信制御部５１から上記設定情報が通知されると、上りフレーム受信部５０１、上り転送制御部５０２、上りフレーム合成部５０３、上りフレーム送出部５０４に対し、上記のサービス種別、転送設定、予測遅延時間に応じた動作設定及び動作制御を行う。上り転送制御部５０２には、サービス種別、転送設定、予測遅延時間が通知される（ステップＳ４０１）。
【００２３】
上り転送制御部５０２は、フレームを受信すると（ステップＳ４０２）、前述した即時転送機能Ａ、即時転送機能Ｂ、即時転送機能Ｃ、バッファリング制御設定、のいずれが設定されているのか判断する（ステップＳ４０３）。
ステップＳ４０３の判断の結果、即時転送機能Ａが設定されている場合には、フレームを受信すると、移動局と通信中の全ての無線基地局からの上りフレームを受信済みか判断する（ステップＳ４０３→Ｓ４０５→Ｓ４０６）。その結果、全ての無線基地局からの上りフレームを受信済みであれば、上りフレーム合成部５０３へ転送する（ステップＳ４０６→Ｓ４０９）。
【００２４】
一方、全ての無線基地局からの上りフレームを未受信であれば、未受信である無線基地局からの上りフレームの受信を待つ（ステップＳ４０６→Ｓ４０４）。未受信である無線基地局からの上りフレームの受信を待っている状態において（ステップＳ４０４）、予測遅延時間に到達した場合には、既に受信した無線基地局からの上りフレームを上りフレーム合成部５０３へ転送する（ステップＳ４０４→Ｓ４０８→Ｓ４０９）。
【００２５】
上りフレームの受信を待っている状態において（ステップＳ４０４）、フレームを受信した場合には、ステップＳ４０２に戻り、以上と同様に処理される（ステップＳ４０４→Ｓ４０２）。
ステップＳ４０３の判断の結果、即時転送機能Ｂが設定されている場合には、フレームを受信すると、受信した上りフレーム中の信頼度情報を参照して信頼に足るフレームを受信したか判断する（ステップＳ４０３→Ｓ４０７）。信頼に足る場合とは、そのフレームが信頼に足るフレームであると判断した場合や、ダイバーシチ受信合成することにより信頼に足る１つ以上の上りフレームを受信した場合である。このような場合は、そのフレームを上りフレーム合成部５０３へ転送する（ステップＳ４０７→Ｓ４０９）。
【００２６】
一方、信頼に足りない場合は未受信である無線基地局からの上りフレーム受信を待つ（ステップＳ４０７→Ｓ４０５→Ｓ４０４）。未受信である無線基地局からの上りフレームの受信を待っている状態において（ステップＳ４０４）、予測遅延時間に到達した場合には、既に受信した無線基地局からの上りフレームを上りフレーム合成部５０３へ転送する（ステップＳ４０４→Ｓ４０８→Ｓ４０９）。
【００２７】
上りフレームの受信を待っている状態において（ステップＳ４０４）、フレームを受信した場合には、ステップＳ４０２に戻り、以上と同様に処理される（ステップＳ４０４→Ｓ４０２）。
ステップＳ４０３の判断の結果、即時転送機能Ｃが設定されている場合には、フレームを受信すると、受信した上りフレーム中の信頼度情報を参照して信頼に足るフレームを受信したか判断する（ステップＳ４０３→Ｓ４０７）。信頼に足る場合とは、そのフレームが信頼に足るフレームであると判断した場合や、ダイバーシチ受信合成することにより信頼に足る１つ以上の上りフレームを受信した場合である。このような場合は、そのフレームを上りフレーム合成部５０３へ転送する（ステップＳ４０７→Ｓ４０９）。
【００２８】
一方、信頼に足りない場合は移動局と通信中の全ての無線基地局からの上りフレームを受信済みか判断する（ステップＳ４０７→Ｓ４０５→Ｓ４０６）。その結果、全ての無線基地局からの上りフレームを受信済みであれば、上りフレーム合成部５０３へ転送する（ステップＳ４０６→Ｓ４０９）。
全ての無線基地局からの上りフレームを未受信であれば、未受信である無線基地局からの上りフレームの受信を待つ（ステップＳ４０６→Ｓ４０４）。未受信である無線基地局からの上りフレームの受信を待っている状態において（ステップＳ４０４）、予測遅延時間に到達した場合には、既に受信した無線基地局からの上りフレームを上りフレーム合成部５０３へ転送する（ステップＳ４０４→Ｓ４０８→Ｓ４０９）。
【００２９】
上りフレームの受信を待っている状態において（ステップＳ４０４）、フレームを受信した場合には、ステップＳ４０２に戻り、以上と同様に処理される（ステップＳ４０４→Ｓ４０２）。
ステップＳ４０３の判断の結果、バッファリング制御設定がなされている場合には、無線基地局からの上りフレーム受信を待つ（ステップＳ４０３→Ｓ４０４）。上りフレームの受信を待っている状態において（ステップＳ４０４）、フレームを受信した場合には、ステップＳ４０２に戻り、以上と同様に処理される（ステップＳ４０４→Ｓ４０２）。つまり、バッファリング制御設定がなされている場合には、受信した上りフレームを予測遅延時間に到達するまでバッファリングしておき、予測遅延時間到達時に受信した上りフレームを上りフレーム合成部５０３へ転送する（ステップＳ４０４→Ｓ４０８→Ｓ４０９）。
【００３０】
（上りフレームの転送例）
図６、図７、図８を参照して、上りフレームの転送例について説明する。これらの各図には、無線基地局２−２、２−４それぞれのフレーム転送タイミング、ＤＨＴ５０のフレーム転送タイミング、が示されている。
図６には、上り転送制御部５０２にバッファリング制御設定がなされている場合の上りフレームの転送例が示されている。
移動局１より無線回線を通して無線基地局２−２、無線基地局２−４でそれぞれ受信された上りフレームは、各々の無線基地局で処理された後、無線ネットワーク制御装置５−２と各々の無線基地局との間で設定された伝送路を使用し、無線ネットワーク制御装置５−２へ転送される。
【００３１】
無線ネットワーク制御装置５−２のＤＨＴ５０内の上り転送制御部５０２において、その受信フレームは予測遅延時間Ｔが経過するまでバッファリングされる。この予測遅延時間Ｔは、予め設定されている。
無線区間から各無線基地局がそのフレームを受信した時点から予測遅延時間Ｔが経過した時、フレームはＤＨＴ５０内の上りフレーム合成部５０３、上りフレーム送出部５０４へと転送され、同図に示されているように交換局６−１へと転送される。以上のフレーム転送処理は、一般的なフレーム転送処理である。
【００３２】
図７には、上り転送制御部５０２にサービス種別によって即時転送設定とバッファリング制御設定とがそれぞれなされている場合の上りフレームの転送例が示されている。
同図（ａ）は、上り転送制御部５０２に即時転送設定がなされている場合のフレーム転送例である。同図（ａ）に示されているように、移動局１より無線回線を通して無線基地局２−２、無線基地局２−４で受信された上りフレームは、各々の無線基地局２−２、２−４で処理された後、無線ネットワーク制御装置５−２と各々の無線基地局との間で設定された伝送路を使用し、無線ネットワーク制御装置５−２へ転送される。
【００３３】
本例の場合、無線ネットワーク制御装置５のＤＨＴ５０内の上り転送制御部５０２において、図５のフローチャートによる処理に従った結果、予測遅延時間が経過する前に、即時に転送可能となる。よって、その受信フレームは図３に示されている上りフレーム合成部５０３、上りフレーム送出部５０４へと転送され、図７（ａ）に示されているように交換局６−１へと転送される。
【００３４】
一方、図７（ｂ）に示されているように、上り転送制御部５０２にバッファリング制御設定がなされている場合には、図６の場合と同様のフレーム転送がなされる。つまり、受信フレームは予測遅延時間Ｔが経過するまでバッファリングされ、その後にＤＨＴ５０内の上りフレーム合成部５０３、上りフレーム送出部５０４へと転送され、同図に示されているように交換局６−１へと転送される。
【００３５】
図８には、上り転送制御部５０２に即時転送設定がなされている場合の上りフレームの転送例が示されている。
同図に示されている転送例は、無線ネットワーク制御装置５のダイバーシチハンドオーバトランク５０内の上り転送制御部５０２において、図５のフローチャートによる処理に従った結果、予測遅延時間Ｔが経過した時点で、既に受信された無線基地局２−２からの上りフレームのみが、図３に示されている上りフレーム合成部５０３、上りフレーム送出部５０４へと転送され、図８に示されているように交換局６−１へと転送される。
【００３６】
本例では、無線基地局２−４からの上りフレームは、遅れて受信されているので、転送されずに廃棄される。つまり、既に他の無線基地局から受信している上りフレームを既に交換局６−１へ送信済みの場合、予測遅延時間内に受信できなかったフレーム（同図中では、「遅着」と記載）は、転送されない。また、無線区間の品質劣化等の要因により無線端末からのデータ受信に失敗した場合や、有線区間でデータ欠落が生じた場合、無線基地局２−４からの上りフレームは受信されない（同図中では、「抜け」と記載）。
【００３７】
（フレームフォーマット例）
図９には、本例において用いられるフレームフォーマットの例が示されている。同図に示されているように、本装置において用いられるフレームは、フレーム番号部（ＦＮ；Ｆｒａｍｅ  Ｎｕｍｂｅｒ）７１と、トランスポートフォーマットインジケータ部（ＴＦＩ；Ｔｒａｎｓｐｏｒｔ  Ｆｏｒｍａｔ  Ｉｎｄｉｃａｔｏｒ）７２と、データブロック部７３と、品質推定部（ＱＥ；ＱｕａｌｉｔｙＥｓｔｉｍａｔｉｏｎ）７４と、ＣＲＣインジケータ部（ＣＲＣＩ；Ｃｙｃｌｉｃ  Ｒｅｄｕｎｄａｎｃｙ  Ｃｈｅｃｋ  Ｉｎｄｉｃａｔｏｒ）７５と、リザーブ部（Ｒｅｓｅｒｖｅ）７６とを含んで構成されている。なお、同図に示されているように、本例のフレームは８×Ｎビット（Ｎは自然数）の構成である。
【００３８】
無線移動端末においては、ユーザデータが符号化や変調等の無線区間のための処理が施され、無線フレームとして送出される。この無線フレームは、無線基地局において、復調や復号化等の処理を受けた後、フレーム番号部７１や、トランスポートフォーマットインジケータ部７２、品質推定部７４、ＣＲＣインジケータ部７５が付与される。
フレーム番号部７１は、無線フレーム番号を示す部分である。
トランスポートフォーマットインジケータ部７２は、フレーム中のデータブロック数やデータブロック長を示す部分である。
【００３９】
データブロック部７３は、ユーザデータを収容している部分である。Ｆｉｒｓｔ  Ｄａｔａ  Ｂｌｏｃｋ７３ａから始まり、Ｌａｓｔ  Ｄａｔａ  Ｂｌｏｃｋ７３ｂで終わる。各ブロックは、無線区間においてＣＲＣ判定が行われる単位となる。
品質推定部７４は無線区間の品質を示す部分である。例えば、受信ＳＩＲ（Ｓｉｇｎａｌ−ｔｏ−Ｉｎｔｅｒｆｅｒｅｎｃｅ  ｐｏｗｅｒ  Ｒａｔｉｏ）や、受信ＢＥＲ（Ｂｉｔ  Ｅｒｒｏｒ  Ｒａｔｅ）の値を示している。
【００４０】
ＣＲＣインジケータ部７５は、無線基地局においてＣＲＣ判定が行われた結果を示している。本例では、データブロック部７３の各ブロックに対応したブロック７５ａ〜７５ｂを有している。例えば、各ブロックの値が「０」であればそのブロックに対応するデータブロックのＣＲＣ判定結果は「ＯＫ」、「１」であればそのブロックに対応するデータブロックのＣＲＣ判定結果は「ＮＧ」、と予め定めておく。なお、ＣＲＣ判定は、巡回冗長検査であり、データが正しく伝送できたかどうかを検査するための方法の１つである。
本装置では、品質推定部７４の内容、及び、ＣＲＣインジケータ部７５によって示されるＣＲＣ判定結果に基づいて、信頼度が判断される。
【００４１】
（信頼度の判断）
前述したように本例では、信頼度の判断のための信頼度情報として、品質推定部７４及びＣＲＣインジケータ部７５をフレームに付加している。これらは、無線基地局において生成される。
これらを用いて信頼に足るフレームかどうかを判断する手法としては、以下のものが挙げられる。
【００４２】
（１）受信したフレームのＣＲＣインジケータ部７５によって示されるＣＲＣ判定結果が、全てのデータブロックについて「ＯＫ」である場合には、信頼に足るフレームであると判断できる。すなわち、１つのフレームのデータブロック全てについて、ＣＲＣ判定結果が「ＯＫ」であるので、信頼に足るフレームを受信したといえる。
【００４３】
（２）複数の無線基地局からフレームを受信した場合に、全てのデータブロックについてのＣＲＣ判定結果が、いずれかのフレームで「ＯＫ」である場合には、信頼に足るフレームであると判断できる。すなわち、受信したあるフレームのデータブロックの一部分についてＣＲＣ判定結果が「ＮＧ」であっても、受信した他のフレームについて、その一部分のデータブロックについてＣＲＣ判定結果が「ＯＫ」であれば、受信したデータブロック全体としてはいずれかのフレームにおいてＣＲＣ判定結果が「ＯＫ」になっている。このような場合には、信頼に足るフレームを受信したといえる。
【００４４】
（３）受信したフレームの品質推定部７４の内容が、予め設定された閾値よりも品質の良い値である場合には、信頼に足るフレームであると判断できる。このような場合にも、信頼に足るフレームを受信したといえる。
【００４５】
（フレーム転送方法）
上述したフレーム転送装置によれば、以下のようなフレーム転送方法が実現されている。すなわち、無線移動端末から少なくとも１つの無線基地局を介してそれぞれ送られてくる上りフレームを次ノードに転送する転送タイミングを設定するフレーム転送方法であり、呼を受付ける呼受付ステップ（図５中のステップＳ４００に対応）と、上記呼受付ステップにおいて通知されるサービス種別に応じて、受信した上りフレームを即時に次ノードに転送する即時転送制御と受信した上りフレームを所定時間バッファリングした後に次ノードに転送するバッファリング制御とのいずれか一方を設定する設定ステップ（図５中のステップＳ４０１に対応）と、上記設定ステップにより設定された制御内容に従ってフレームを転送する転送ステップ（図５中のステップＳ４０２以下のステップに対応）とを含むフレーム転送方法が実現されている。こうすることにより、通信の連続要否、すなわちサービス種別に応じて適切にフレーム転送を行うことができる。
【００４６】
また、上記即時転送制御は、全ての上りフレームを受信した時点、信頼に足る上りフレームを受信したと判断した時点、予め設定された予測遅延時間により求められる時点、のいずれかの時点において、その上りフレームを次ノードに転送する制御である。これらの時点において転送を行うことにより、上りフレームを適切なタイミングで転送できる。
【００４７】
【発明の効果】
以上説明したように本発明によれば、以下の効果を奏する。
（１）本発明では、上り転送制御部において即時転送機能を具備することにより、無線ネットワーク制御装置内でデータの遅延を最小にすることができる。
（２）本発明では、サービス種別毎に即時転送機能とバッファリング制御機能とを使い分けることにより、通信の連続性が要求されないサービス種別においては即時転送機能により遅延を最小にすることができ、通信の連続性が要求されるサービス種別においてはバッファリング制御機能により、通信中に無線基地局と無線ネットワーク制御装置との間の伝送遅延量の変化や、各無線基地局から無線ネットワーク制御装置までの伝送遅延に差が存在する場合にも通信の連続性を保つことができる。
【図面の簡単な説明】
【図１】本発明の一実施形態の構成を示すブロック図である。
【図２】図１における上りフレームの授受の例を示す図である。
【図３】無線ネットワーク制御装置の主要部の構成を示すブロック図である。
【図４】上り転送制御部の機能ブロック図である。
【図５】図３中の上り転送制御部における処理手順を示すフローチャートである。
【図６】上り転送制御部にバッファリング制御設定がなされている場合の上りフレームの転送例を示す図である。
【図７】（ａ）は上り転送制御部に、サービス種別によって即時転送設定がなされている場合の上りフレームの転送例、（ｂ）は上り転送制御部に、バッファリング制御設定がなされている場合の上りフレームの転送例を示す図である。
【図８】上り転送制御部に即時転送設定がなされている場合の上りフレームの転送例を示す図である。
【図９】フレーム構成例を示す図である。
【符号の説明】
１  移動局
２−１〜２−４  無線基地局
５−１〜５−３  無線ネットワーク制御装置
６−１、６−２  交換局
７  中継網
５０  ダイバーシチハンドオーバトランク（ＤＨＴ）
５１  通信制御部
５２  クロック供給部
５００  ＤＨＴ制御部
５０１  上りフレーム受信部
５０２  上り転送制御部
５０３  上りフレーム合成部
５０４  上りフレーム送出部
【図１】
2005072656.tif 000003
【図２】
2005072656.tif 000004
【図３】
2005072656.tif 000005
【図４】
2005072656.tif 000006
【図５】
2005072656.tif 000007
【図６】
2005072656.tif 000008
【図７】
2005072656.tif 000009
【図８】
2005072656.tif 000010
【図９】
2005072656.tif 000011